【事件の表示】
　特願２００３−２７５９１１「液晶表示装置」拒絶査定不服審判事件〔平成１６年　４月１５日出願公開、特開２００４−１１８１７９〕について、次のとおり審決する。
【結　論】
　本件審判の請求は、成り立たない。
【理　由】
１．手続きの経緯・本願発明
　本願は、平成１５年７月１７日（優先権主張；平成１４年９月４日）の出願であって、平成１６年９月９日付け（発送日；同月１４日）で拒絶査定がなされ、これに対して、同月３０日に拒絶査定に対する審判請求がなされたものであり、その請求項１乃至８に係る発明は、平成１６年１月３０日付け手続補正書により補正された特許請求の範囲、明細書及び図面の記載からみて、その特許請求の範囲の請求項１乃至８に記載された事項により特定されるとおりのものと認められるところ、その請求項１に係る発明（以下、「本願発明」という。）は、次のとおりのものである。
「液晶表示パネルを用いて、画像を表示する液晶表示装置であって、
　入力画像信号の１垂直期間前後における階調遷移の組み合わせに応じて、該入力画像信号を強調変換することにより、前記液晶表示パネルの光学応答特性を補償する強調変換信号を求めるとともに、
　ユーザ指示に基づいて、前記強調変換信号と前記入力画像信号とのいずれか一方を選択的に切り換え、前記液晶表示パネルに供給する書込階調決定手段を備えたことを特徴とする液晶表示装置。」
　
２．引用刊行物 
　原査定の拒絶の理由に引用された本願の優先権主張の日前に頒布された刊行物である特開２００２−６２８５０号公報（以下、「引用刊行物」という。）には、図面とともに、次の事項が記載されている。
１ａ．「【特許請求の範囲】
【請求項１】  液晶パネル、表示データを１表示周期の期間記憶するメモリ、および現表示データと上記メモリに記憶された１表示周期前の表示データとを受けて上記液晶パネルへ出力信号を供給する参照テーブルメモリを備え、上記参照テーブルメモリは、現表示データと１周期前の表示データとのレベル差に応じて、表示データによる上記液晶パネルの光学応答を１表示周期内にほぼ完了させるように書き込まれた補正信号データに従って表示データのレベル補正を行い、出力信号として上記液晶パネルに供給するようにしたことを特徴とする液晶表示装置。
【請求項２】  参照テーブルメモリにより補正された表示データの信号レベル幅を、補正前の表示データの信号レベル幅より小さくなるように圧縮し、これにより生じた差分の信号レベルを、表示データのレベル補正時の補正信号として利用するようにしたことを特徴とする請求項１記載の液晶表示装置。
【請求項３】  補正された表示データの信号レベルの幅を、補正前の表示データの信号レベル幅より小さくしたことにより生じる液晶パネルの輝度の低下を、液晶パネルの背後照明の輝度を上げることにより補うようにしたことを特徴とする請求項２記載の液晶表示装置。」
　
１ｂ．「【０００１】
【発明の属する技術分野】この発明は、液晶パネルを用いた液晶表示装置に関するものである。」
　
１ｃ．「【００１２】
【発明の実施の形態】はじめに、図１を用いてこの発明の概念を説明する。図１のグラフにおいて、横軸は時間、縦軸は電気信号（以下単に信号と呼ぶ）波形１０１およびその信号が印加された液晶パネルの光学応答波形１０２の光透過率である。図は信号レベルが信号レベル１から信号レベル２に変化したときの液晶の光学応答変化を記録したものであり、  透過率レベル１が信号レベル１の場合の所望の透過率、透過率レベル２が信号レベル２の場合の所望の透過率である。
【００１３】信号レベル３、４、５は、本来の信号レベルは信号レベル２であるが、信号レベルを１から２へ切り換える場合に、液晶を加速的に動かすために補正された信号レベルであり、１表示周期分出力したものである。この補正された信号レベルが信号レベル３のように補正が過多である場合には、光学応答波形１０２は応答３のようにオーバーシュートしてしまい、また、信号レベルが信号レベル４のように補正が過小である場合には、光学応答波形は応答４のように、１表示周期期間で応答が完了しない。補正信号レベルを５のように最適なるように選ぶことにより、光学応答波形は応答５のようにちょうど１表示周期内に応答が完了することができる。
【００１４】この補正信号レベルは、初期の信号レベル１と表示切換後の信号レベル２の大きさによって、最適値を一意的に決めることができる。そこで、この発明の第１の手法として、表示すべきデータの変化のすべての場合の補正信号レベルを予め測定し、これをテーブルとして準備しておくことにより、表示信号レベルが切り替わった場合、切換の前と後の信号レベルから、１表示周期に過不足なく光学応答を完了することのできる補正信号レベルを選び出して液晶パネルに印加する。
【００１５】例えば、ｎ階調の表示を行うことができる液晶パネルは、表示切換の組み合わせの場合の数はｎ2 通りであるので、ｎ2 個の補正信号レベルをテーブルとして、例えばＲＯＭ（リード・オンリー・メモリ）に記憶させておく。
【００１６】ここで、液晶パネルへ供給される元の信号レベル変化の目標値が、信号レベルの最大値もしくは最小値である場合、前述した補正信号を生成することができない。このような場合には、元の信号レベルを圧縮することにより解決できる。すなわち、この発明の第２の手法として、信号レベルを常にある割合で圧縮することで信号レベルにレベルの余裕を持たせ、最大信号レベルへの信号変化があった場合、最大信号レベルはレベルが下げられ、生じた余裕の部分を用いて補正信号レベルを発生する。
【００１７】また、上記第２の手法では、圧縮変換後の信号レベルの最大値は、もとの信号レベルの最大値より小さくなってしまうため、このことによる液晶パネルの透過率の低下を、液晶パネルの背後照明の輝度を上げることにより補い、人の目に違和感を与えないようにする。」
　
１ｄ．「【００２４】実施の形態３．実施の形態２では液晶パネルに供給する信号レベルを圧縮するため、表示上輝度の低下が発生することになり、液晶パネルを通常の駆動と圧縮を有する駆動を切り換えて表示する場合に輝度の差が違和感をもたらす場合がある。その場合には図６に示すように、通常の駆動と圧縮を有する駆動との切換を、液晶パネルの背後照明の輝度切換と連動させ、信号圧縮を有する駆動を行う場合には、背後照明輝度を高くして信号レベル低下による輝度低下分を補うようにすることにより、望ましい輝度での表示状態を得ることができる。
【００２５】図６において、Ｓ１、Ｓ２は連動する切換スイッチで、スイッチＳ１は通常駆動接点ａと圧縮駆動接点ｂとを有し、スイッチＳ２は標準輝度接点ｃと高輝度接点ｄとを有する。スイッチＳ１、Ｓ２の可動接点は通常駆動のときは標準輝度を、圧縮駆動のときは高輝度を選択する。」
　
１ｅ．図面の【図６】の記載から、切換スイッチＳ１が通常駆動接点ａに切り換えられる場合には、「現表示データ」が選択されて液晶パネル１０に供給され、切換スイッチＳ１が圧縮駆動接点ｂに切り換えられる場合には、参照テーブルメモリ１１から出力される「補正データ」が選択されて、液晶パネル１０に供給されることが読み取れる。
　
３．対比・判断
　引用刊行物の上記「２．」の「１ａ．」乃至「１ｅ．」の記載から、引用刊行物には、以下の発明（以下、「引用発明」という。）が記載されているものと認められる。
「液晶パネル１０を用いた液晶表示装置であって、
　現表示データと１表示周期前の表示データとを受けて、１表示周期内に前記液晶パネル１０の応答が完了するように、現表示データと１周期前の表示データとのレベル差に応じて表示データのレベル補正を行い、液晶を加速的に動かすために補正された補正データを出力する参照テーブルメモリ１１と、
　前記現表示データと前記補正データとの何れか一方を選択し、前記液晶表示パネル１０に供給する切換スイッチＳ１と、を備えたことを特徴とする液晶表示装置。」
　
　そこで、本願発明（前者）と上記引用発明（後者）とを対比する。
・後者の「液晶パネル１０」及び「液晶表示装置」は、前者の「液晶表示パネル」及び「液晶表示装置」に相当する。
・後者の「現表示データと１表示周期前の表示データとを受けて、１表示周期内に前記液晶パネル１０の応答が完了するように、現表示データと１周期前の表示データとのレベル差に応じて表示データのレベル補正を行い、液晶を加速的に動かすために補正された補正データを出力する参照テーブルメモリ１１と、前記現表示データと前記補正データとの何れか一方を選択し、前記液晶表示パネル１０に供給する切換スイッチＳ１とを備えた」点と、前者の「入力画像信号の１垂直期間前後における階調遷移の組み合わせに応じて、該入力画像信号を強調変換することにより、前記液晶表示パネルの光学応答特性を補償する強調変換信号を求めるとともに、ユーザ指示に基づいて、前記強調変換信号と前記入力画像信号とのいずれか一方を選択的に切り換え、前記液晶表示パネルに供給する書込階調決定手段を備えた」点とを対比すると、後者の「参照テーブルメモリ１１」の有する「現表示データと１表示周期前の表示データとを受けて、１表示周期内に前記液晶パネル１０の応答が完了するように、現表示データと１周期前の表示データとのレベル差に応じて表示データのレベル補正を行い、液晶を加速的に動かすために補正された補正データを出力する」点の機能は、前者の「書込階調決定手段」の有する「入力画像信号の１垂直期間前後における階調遷移の組み合わせに応じて、該入力画像信号を強調変換することにより、液晶表示パネルの光学応答特性を補償する強調変換信号を求める」点の機能に相当し、また、後者の「切換スイッチＳ１」の有する「現表示データと補正データとの何れか一方を選択し、液晶表示パネル１０に供給する」点の機能は、前者の「書込階調決定手段」の有する「強調変換信号と前記入力画像信号とのいずれか一方を選択的に切り換え、液晶表示パネルに供給する」点の機能に相当するものと認められるから、両者は、「入力画像信号の１垂直期間前後における階調遷移の組み合わせに応じて、該入力画像信号を強調変換することにより、前記液晶表示パネルの光学応答特性を補償する強調変換信号を求めるとともに、前記強調変換信号と前記入力画像信号とのいずれか一方を選択的に切り換え、前記液晶表示パネルに供給する手段を備えた」点で共通する。
　
　したがって、両者は、
「液晶表示パネルを用いて、画像を表示する液晶表示装置であって、
　入力画像信号の１垂直期間前後における階調遷移の組み合わせに応じて、該入力画像信号を強調変換することにより、前記液晶表示パネルの光学応答特性を補償する強調変換信号を求めるとともに、
　前記強調変換信号と前記入力画像信号とのいずれか一方を選択的に切り換え、前記液晶表示パネルに供給する手段を備えたことを特徴とする液晶表示装置。」
　の点の構成で一致し、以下の点で相違する。
［相違点］
  前者が、ユーザ指示に基づいて、前記強調変換信号と前記入力画像信号とのいずれか一方を選択的に切り換えるものであるのに対し、後者には、ユーザ指示に基づく切り換えについての記載がない点。
　
　そこで、上記相違点について検討する。
　一般に、画像表示の際、画質等を考慮して強調処理を行うか否かをユーザが選択することは周知の事項であり（ユーザーによる輪郭強調等の選択を行う一例として、２００１−１９７４５０号公報［段落【００５７】に「順次走査映像信号出力端子１０には順次走査映像信号用テレビモニター（図示せず）が接続され、使用者はそれにより順次走査映像に変換されたビデオ素材映像を鑑賞する事ができる。また使用者は第１のスイッチ１５によってこの輪郭強調の除去機能を無効にする事もできる。」と記載され、段落【００５９】に「更に、使用者によって、何段階かｋの値を選べるようにし、使用者の好みに応じて輪郭除去の強弱を可変できるようにする事も可能である。」と記載されている。］参照。また、２００１年１１月に発売された液晶カラーテレビＳＨＡＲＰ　ＬＣ−３０ＢＶ３の取扱説明書の６８ページ左欄に、「・ＯＳ駆動：動きの早い映像などの応答性が改善されます。設定（切、入）」と記載され、当該ページ右欄に、ＯＳＤによる設定方法が示されている。）、引用発明にこのような周知事項を適用して本願発明の構成とすることは、上記のような周知事項を知悉する当業者であれば、格別の推考力を要することとは認められない。
　なお、請求人は請求書の【請求の理由】において、「本願請求項１に係る発明と引用文献１（当審注；本審決中の「引用刊行物」に相当。）に記載のものとを比較すると、本願請求項１に係る発明は、ユーザ指示に基づいて、強調変換信号と入力画像信号とのいずれか一方を選択的に切り換え、液晶表示パネルに供給するものであるのに対し、引用文献１に記載のものは、何のためにどのようにして（何に適応して）、通常の駆動と圧縮を有する駆動とを切り換えるのかが全く開示されていない点で両者は相違しております。この点に関し、審査官殿は、上述のとおり、「通常駆動と圧縮を有する駆動との切り替えは画質に影響を及ぼすことは明らかであり、画質調整をユーザ指示により行わせることは周知であるから、引用文献１に記載された発明において、画質に影響を及ぼす通常の駆動と圧縮を有する駆動との切り替えをユーザ指示により行わせるようにすることに、格別の困難性は認められない。」と指摘されていますが、通常、この種の液晶駆動においては、標準使用時において最適化された（液晶パネルの応答特性に応じて予め最適設定された）パラメータ（補正データ）を用いて入力画像信号を強調変換し、液晶パネルに供給するものであり、この入力画像信号に対する強調変換の有無をユーザに開放する必要性はありません。すなわち、この種の液晶駆動（強調変換駆動）においては、液晶パネルの光学応答特性を補償して、最適な動画質（動画表示性能）を得ることを目的としたものであり、設計時に最適化された強調変換をユーザにオフ設定させる構成は、従来では全く考えられていませんでした。これに対して、本願発明では、強調変換駆動を行った場合に生じる可能性がある弊害の要因（すなわち、装置の故障や装置の設置状態、視聴環境或いは入力画像の性質など）を発見し、このような種々の要因による弊害を解決するための手段として、あえて強調変換の有無設定をユーザに開放する構成としたものであります。従いまして、「画質調整をユーザ指示により行わせることは周知である」からといって、上記本願発明の課題すら記載されていない引用文献１のものから、上記本願請求項１に係る発明のように、ユーザによる設定指示に基づいて、オーバーシュート駆動（強調変換駆動）を停止させる構成は、たとえ当業者であっても決して容易に想到し得るものではありません。」と主張しているので、この主張について検討する。
　引用刊行物には、圧縮駆動と通常駆動とを切り換える点の意義について記載されておらず、また、その切換をユーザが行うとの明記もないが、引用刊行物においても、圧縮駆動はオーバーシュート駆動を行う駆動態様を意味し、通常駆動は、このようなオーバーシュート駆動を行わない駆動態様を意味することは、その記載からみて明らかであること、また、入力画像等に応じて、ユーザーが強調処理を行わないようにしたり、その強調の程度を切り換えたりして、画質の劣化を防止することは、前記のように従来周知のことであること、を勘案すれば、引用刊行物の記載に接した、このような周知事項を知悉する当業者であれば、ユーザによる設定指示に基づいて、オーバーシュート駆動（強調変換駆動）を停止させるようにすることは、その想到に格別の困難性を要することとは認められない。
　したがって、請求人の上記主張は採用しない。
　そして、本願発明による効果も、引用刊行物の記載及び上記周知事項から当業者が予測し得る範囲内のものにすぎない。
　したがって、本願発明は、引用発明及び周知事項に基づいて当業者が容易に発明をすることができたものである。
　
４．むすび
　以上のとおりであるから、本願の請求項１に係る発明（本願発明）は、特許法第２９条第２項の規定により特許を受けることができない。
　そして、請求項１に係る発明が特許を受けることができないものであるから、その余の請求項に係る発明について検討するまでもなく、本願は拒絶すべきものである。
　よって、結論のとおり審決する。